(57)【要約】【課題】搬送時の針先の医療用針キャップからの突出を防止し、医療用針キャップ形状を扁平形状とし把持し易くすることで針を医療用針キャップから容易に取り外し可能とする。【解決手段】医療用針の針先を保護する医療用針キャップにおいて、可撓性樹脂製チューブであり、医療用針キャップ内腔の断面が扁平形状であって、長径に対する短径の比率が３０〜７０％であり、内腔に長手方向へ延びたリブが少なくとも１つ設けてあることを特徴とする医療用針キャップ。【選択図】図１
2005058337.tif 000002
【特許請求の範囲】
【請求項１】
医療用針の針先を保護する医療用針キャップにおいて、前記医療用キャップが可撓性樹脂製チューブであり、医療用針キャップ内腔の断面が扁平形状であって、長径に対する短径の比率が３０〜７０％であることを特徴とする医療用針キャップ。
【請求項２】
チューブ肉内に長手方向へ延びたＸ線不透過ラインが練り込まれている請求項１記載の医療用針キャップ。
【請求項３】
針キャップ内腔に、長手方向へ延びたリブが少なくとも１つ設けてある請求項１又は２記載の医療用針キャップ。
【発明の詳細な説明】
【技術分野】
【０００１】
本発明は、医療用針の針先が確実に保護でき、使用時には取り外しが容易な医療用針キャップに関するものである。
【背景技術】
【０００２】
従来、医療用針キャップは、使用前の搬送時には針先を確実に保護し、使用時は針キャップからの針の取り外しが容易となるよう針先保護の役目をするものである。針は、組織への穿刺性を考え、角を取った丸棒材を加工したものが多く、針断面は丸型形状であることが多い。そのため、針先を保護する針キャップの断面も円筒チューブ形状としたものが多く、針先から針に被せて使用している。
【０００３】
しかしながら、円筒形状の内腔を有する針キャップでは、針との嵌合が緩いと、搬送時には針先が針キャップから突出し、一方、針との嵌合がきついと、針搬送時の針先の針キャップからの突出は防止できるが、組立工程時の針キャップへの針挿入が困難となり、針先の損傷が生じたり、針キャップの針への抱きつきがきつくなるため、取り外しに困難を要するという実用上の問題があった。
【０００４】
この改善策として、針キャップの内腔を扁平形状とすることで、針先の針キャップ端部への移動を抑え、搬送時の針先の針キャップからの突出が防止できる。更に針キャップ形状を扁平形状とすることにより、針キャップを把持し易くし、針キャップ内腔にリブを設けることで針キャップからの針の取り外しが容易となる。
【発明の開示】
【発明が解決しようとする課題】
【０００５】
本発明は、医療用針の針先が確実に保護でき、使用時には取り外しが容易な医療用針キャップを提供するものである。
【課題を解決するための手段】
【０００６】
本発明は、
（１）医療用針の針先を保護する医療用針キャップにおいて、前記医療用キャップが可        撓性樹脂製チューブであり、医療用針キャップ内腔の断面が扁平形状であって、        長径に対する短径の比率が３０〜７０％であることを特徴とする医療用針キャッ        プ、
（２）チューブ肉内に長手方向へ延びたＸ線不透過ラインが練り込まれている（１）記        載の医療用針キャップ、
（３）針キャップ内腔に、長手方向へ延びたリブが少なくとも１つ設けてある（１）又        は（２）記載の医療用針キャップ、
である。
【発明の効果】
【０００７】
本発明の医療用針キャップは、内腔、外形形状を扁平形状とすることで、使用前の搬送時には針キャップ内での針の移動を抑え、針キャップからの針先の突出を防止して確実に針先を保護し、使用時は針キャップから針を容易に取り外すことが可能である。
【発明を実施するための最良の形態】
【０００８】
以下、図面をもとに本発明について詳細に説明する。図１は、本発明の医療用針キャップの１実施例の概略図で、（ａ）は正面図、（ｂ）はＡ−Ａ´断面図である。図２は、本発明の医療用針キャップを創傷ドレーン用針にを装着した状態を示す概略図である。
【０００９】
図１に示す本発明の医療用針キャップ（１）の材質は特に限定されるものではないが、塩化ビニール樹脂やウレタン樹脂等の可撓性プラスチック製であり、コストを鑑みて、押出成形が好ましい。扁平形状は寸法において、短径が長径の３０〜７０％の扁平断面が好ましい。これは７０％を超えると真円に近いため、針先の医療用針キャップ（１）からの突出、医療用針キャップ（１）が把持し難くい、針の取り外しが困難といった従来技術の問題が発生し易く、また３０％未満では組立工程において針を医療用針キャップ（１）内に挿入し難くなるばかりでなく、挿入時に針先を医療用針キャップ（１）内腔にぶつけ、損傷する可能性があるため好ましくない。医療用針の大きさにも因るが、医療用針キャップ（１）の把持のし易さを考慮し、実用性を考えると内径寸法は長径１〜２０ｍｍ、短径０．５〜１０ｍｍが好ましい。肉厚は０．５〜５ｍｍが好ましい。０．５ｍｍ未満では針挿入時に針が屈曲し針先を損傷する可能性がある。５ｍｍを超えると医療用針キャップ（１）外形寸法より内腔を確保するためには実用上好ましくない。外形寸法は医療用針キャップ（１）の把持のし易さを考慮し、実用性を考えると長径２〜３０ｍｍ、短径１〜１５ｍｍが好ましい。
医療用針キャップ（１）の長さは５〜１００ｍｍが好ましい。５ｍｍ未満では針先の保護が難しく、１００ｍｍを超えると長過ぎて実用的ではない。
【００１０】
また、図１（ｂ）の断面形状に示すように医療用針キャップ（１）の内部にリブ（２）を設けると金属針（３）と粘着せずにスムーズに針の出し入れができるメリットがある。
リブ（２）の高さは針の嵌合度合いを考慮し、０．２〜１．５ｍｍが好ましい。０．２ｍｍ未満ではリブの実用性を考えるとリブの効果が発揮され難く、１．５ｍｍを超えると針挿入の際にリブが曲がり、同様にリブの効果が軽減されるためである。
【００１１】
更に、医療用針キャップ（１）取り外し後、Ｘ線撮影により、体内への置き忘れを防止できるよう、医療用針キャップ（１）にはチューブ肉内に長手方向へ延びたＸ線不透過ライン（４）が練り込まれている。
【００１２】
次に図２により医療用針キャップ（１）が針に装着されている状態を説明する。医療用針先キャップ（１）の内腔に挿入され、医療用針キャップ（１）の嵌合部は針円筒部分まで挿入され、確実に嵌合された状態となる。医療用針キャップ（１）は内腔が扁平形状であるため、針は医療用針キャップ（１）内腔を押し広げながら、端部へ進むことは困難となるため、針先突出を防止できる。また、医療用針キャップ（１）から針を取り外す際には、針の挿入されていない部分を把持することになるが、本発明の医療用針キャップ（１）は扁平形状であるため、把持し易く、取り外し操作も容易にできる。
【産業上の利用可能性】
【００１３】
本発明の医療用針キャップは、搬送時は医療用針キャップ内での針の移動を抑え、針先を確実に保護し、針の医療用針キャップからの取り外しが容易にできる。
【図面の簡単な説明】
【００１４】
【図１】本発明の医療用針キャップの１実施例の概略図で、（ａ）は正面図、（ｂ）            はＡ−Ａ´断面図である。
【図２】本発明の医療用針キャップを針に創傷ドレーンに使用する針を装着した状態            を示す概略図である。
【符号の説明】
【００１５】
１    医療用針キャップ
２    リブ
３    金属針
４    Ｘ線不透過ライン
【図１】
2005058337.tif 000003
【図２】
2005058337.tif 000004